(57)【要約】【課題】  本発明は空気中に含まれた微細ゴミを収集でき、且つ吸入ブラシがわにおける流速を向上させることのできるマルチサイクロン集塵装置を提供する。【解決手段】  本発明に係るマルチサイクロン集塵装置は、大ゴミが収集される第１サイクロンユニットと、微細ゴミが収集される第２サイクロンユニットとを含む第１および第２マルチサイクロンユニットと、内部に分岐板を備え、第１および第２マルチサイクロンユニットそれぞれにゴミの含まれた空気を分配して供給する空気吸入流路と、第１および第２マルチサイクロンユニットそれぞれの第２サイクロン部から排出された空気を集めて外部に排気する排気流路とを含む。【選択図】      図１
2006272314.tif 000002
【特許請求の範囲】
【請求項１】
大ゴミが収集される第１サイクロンユニットと、微細ゴミが収集される第２サイクロンユニットとを含むマルチサイクロンユニットが少なくとも２つ以上対称して設けられたことを特徴とするマルチサイクロン集塵装置。
【請求項２】
前記マルチサイクロンユニットは、第１サイクロンユニットの外周面にＣ状で第２サイクロンユニットが配置されたことを特徴とする請求項１に記載のマルチサイクロン集塵装置。
【請求項３】
大ゴミが収集される第１サイクロンユニットと、微細ゴミが収集される第２サイクロンユニットとを含む第１および第２マルチサイクロンユニットと、
前記第１および第２マルチサイクロンユニットそれぞれにゴミの含まれた空気を分配して供給する空気吸入路と、
前記第１および第２マルチサイクロンユニットそれぞれの第２サイクロンユニットで排出された空気を集めて外部に排気させる排気流路と、
を含むことを特徴とするマルチサイクロン集塵装置。
【請求項４】
前記空気吸入路は、１つの空気吸入路に分岐板を設け、第１および第２空気吸入ダクトを形成することを特徴とする請求項３に記載のマルチサイクロン集塵装置。
【請求項５】
前記第１および第２マルチサイクロンユニットは互いに対称にして設けられることを特徴とする請求項３に記載のマルチサイクロン集塵装置。
【請求項６】
前記第１および第２マルチサイクロンユニットは、互いに分離されたゴミ収集筒を有することを特徴とする請求項３に記載のマルチサイクロン集塵装置。
【発明の詳細な説明】
【技術分野】
【０００１】
本発明は、サイクロン集塵装置に関し、詳細には吸入流速が増加され、且つゴミ集塵効率の向上された左右対称型マルチサイクロン集塵装置に関する。
【背景技術】
【０００２】
一般に真空掃除機はゴミの含まれた空気を吸込んで集塵装置にてゴミと空気とに分離する。従来の集塵装置はゴミフィルタを主に使用したが、ゴミフィルタに塵埃が充填すれば取替えなければならない不都合がある。ゴミフィルタの取替え時、ユーザは汚染されたフィルタを直接手で触らざるを得ないので不便であり、且つ非衛生的でもあった。
【０００３】
これを勘案して、最近では、ろ過されたゴミを除去した後半永久的に使用できるサイクロン集塵装置が幅広く開発されている。前記サイクロン集塵装置は、遠心分離の原理に基づいて空気からゴミを遠心分離しゴミを収集する構造である。
【０００４】
ところが、サイクロン集塵装置は、ダスト袋やゴミフィルタを使用しないことから半永久的に使用できる長所を有しながらも空気中に含まれた微細ゴミは完全に収集できない問題を抱えている。本出願人はかかる微細ゴミの収集能力が落ちるサイクロン集塵装置の問題点を解決するため、特許出願２００３−６２５２０、２００３−６３２１１、２００３−６３２１２、２００３−６３２１３を介して微細ゴミの収集能力が向上されたマルチサイクロン集塵装置を出願した。係る構成によると、従来のサイクロン集塵装置に比べて微細ゴミの収集効率を向上させることができる。しかし、多数のサイクロン気流形成を必要とするため吸入ブラシ側における流速が減少される恐れがある。
【発明の開示】
【発明が解決しようとする課題】
【０００５】
本発明は前述した問題点を解決するために案出されたもので、本発明の目的は、空気中に含まれた微細ゴミを収集でき、吸入ブラシ側における流速を向上させることのできるマルチサイクロン集塵装置を提供することにある。
【０００６】
本発明の他の目的は、大ゴミの収集能力を向上させることのできるサイクロン集塵装置を提供することにある。
【０００７】
本発明の更なる目的は、ゴミ集塵能力を向上させるよう構造が改善されたマルチサイクロン集塵装置を提供することにある。
【課題を解決するための手段】
【０００８】
前述した目的を達成するための本発明に係るマルチサイクロン集塵装置は、大ゴミが収集される第１サイクロンユニットと、微細ゴミが収集される第２サイクロンユニットとを含むマルチサイクロンユニットが少なくとも２つ以上対称して設けられたことを特徴とする。この際、前記マルチサイクロンユニットは、第１サイクロンユニットの外周面にＣ状で第２サイクロンユニットが配置される。
【０００９】
本発明の好適な実施形態によるマルチサイクロン集塵装置は、大ゴミが収集される第１サイクロンユニットと、微細ゴミが収集される第２サイクロンユニットとを含む第１および第２マルチサイクロンユニットと、前記第１および第２マルチサイクロンユニットそれぞれにゴミの含まれた空気を分配して供給する空気吸入路と、前記第１および第２マルチサイクロンユニットそれぞれの第２サイクロンユニットで排出された空気を集めて外部に排気させる排気流路とを含む。
【００１０】
前記空気吸入路は、１つの空気吸入路に分岐板を設け、第１および第２空気吸入ダクトを形成することが好ましい。
【００１１】
前記第１および第２マルチサイクロンユニットは互いに対称して設けられ、
前記第１および第２マルチサイクロンユニットは、互いに分離されたゴミ収集筒を有することが好ましい。
【発明の効果】
【００１２】
本発明によると、１つの入口に吸込まれた空気がその内部で分岐され複数のマルチサイクロン集塵装置にて同時にゴミと空気とに分離されることにより、吸入ブラシ側における吸込まれるゴミが含まれた空気の流速減少を防止できる。
【００１３】
さらに、大ゴミを収集することのできる第１サイクロンユニットが複数備えられるので、大ゴミの収集能力が向上される。
【００１４】
そして、大ゴミが収集される第１サイクロンユニットと、微細ゴミが収集される第２サイクロンユニットを含むマルチサイクロンユニットが少なくとも２つ以上対称に備えられるので、微細ゴミの収集効率が向上される。
【発明を実施するための最良の形態】
【００１５】
以下、添付の図面に基づいて本発明の好適な実施形態を詳述する。
【実施例】
【００１６】
図１に示したように、本発明に係るマルチサイクロン集塵装置は同一構造のマルチサイクロン集塵装置が対称に設けられて、第１マルチサイクロンユニット１００、第２マルチサイクロンユニット２００、空気吸入流路３００、排気流路４００を含む。
【００１７】
第１マルチサイクロンユニット１００は、第１サイクロンユニット１１０と第２サイクロンユニット１２０を含む。第１サイクロンユニット１１０は空気吸入流路３００と偏心して連結される。第１サイクロンユニット１１０の周りには複数の第２サイクロンユニット１２０がＣ状に配置される。
【００１８】
即ち、第１サイクロンユニット１１０には空気吸入流路３００で分岐された第１空気吸入ダクト３１０を介してゴミの含まれた空気が回転気流を形成しながら流入され内部にてゴミが遠心分離される。ゴミの遠心分離された空気は、逆流防止部材が備えられた排気グリル１１３を介して２次ろ過されてから、排気グリル１１３と連結された螺旋流路１１５を介して第１サイクロンユニット１１０回りに放射状の非対称に配置された複数の第２サイクロンユニット１２０に流入される。第２サイクロンユニット１２０は図示されたように、６つの第２サイクロンユニット１２０がＣ状で配置されることが好ましい。第２サイクロンユニット１２０に流入された空気は、第２サイクロン胴体１２１にて再び遠心分離され第１サイクロンユニット１１０で収集できなかった微細ゴミを収集する。そして第１および第２サイクロンユニット１１０、１２０で遠心分離されたゴミは第１ゴミ収集筒１３０に収集される。そして微細ゴミが分離されて浄化の空気は第１排気パイプ１４０を介して掃除機本体側に排気される。
【００１９】
第２マルチサイクロンユニット２００は、前もって説明した第１マルチサイクロンユニット１００と空気吸入流路３００を基準にして対称にして設けられる構成は同一である。
【００２０】
一方、第２マルチサイクロンユニット２００の第２ゴミ収集筒２３０は第１ゴミ収集筒１３０と分離され、未説明の２４０は第２排気パイプである。
【００２１】
空気吸入流路３００は、吸入ブラシのような掃除ユニットを介して被掃除面のゴミを回り空気と共に第１および第２マルチサイクロンユニット１００、２００に同時供給する。好ましくは、図２に示したように、内部に分岐板３０１を設けて、第１マルチサイクロンユニット１００にゴミの含まれた空気を供給する第１空気吸入ダクト３１０と、第２マルチサイクロンユニット２００にゴミの含まれた空気を供給する第２空気吸入ダクト３２０を形成する。このように、１つの入口で吸入された空気が、その内部で分岐され第１および第２マルチサイクロンユニット１００、２００それぞれにゴミと空気との分離が行われるので、図示されない吸入ブラシ側で吸入される空気の流入量および大ゴミの収集量が増加される。
【００２２】
排気流路４００は、第１および第２マルチサイクロンユニット１００、２００の上側に結合されるカバー(Ｃ)に形成され、第２サイクロンユニット１２０に形成された第１および第２排気パイプ１４０、２４０から排出された空気を集めて掃除機本体に設けられた真空吸入モータ（図示せず）側に排気する。
【００２３】
以下、本発明に係るマルチサイクロン集塵装置の動作について説明する。
【００２４】
空気吸入流路３００を介して吸込まれたゴミの含まれた空気は、分岐板３０１にて区切られた第１および第２空気吸入ダクト３１０、３２０を介して第１および第２マルチサイクロンユニット１００、２００に分けられ、第１および第２マルチサイクロンユニット１００、２００それぞれにてゴミと空気とに分離される。即ち、第１マルチサイクロンユニット１００では第１サイクロンユニット１１０で大ゴミがまず分離され、第１サイクロンユニット１１０で収集されなかった微細ゴミは複数の第２サイクロンユニット１２０で再度遠心分離される。係る過程は、第１マルチサイクロンユニット１００と対称にして設けられた第２マルチサイクロンユニット２００においても同一に行われる。
【００２５】
一方、第１および第２マルチサイクロンユニット１００、２００でゴミ収集が終了された空気は、第１および第２排気パイプ１４０、２４０を介して排出され、排出された空気は再び集まって排気流路４００を介して掃除機本体に設けられた真空吸入モータ（図示せず）側に排気される。
【００２６】
このように、ゴミが含まれた空気を対称に配置される同一構成のマルチサイクロンユニットで並列的にろ過するので、ゴミの収集効率を向上させることができる。
【００２７】
以上、微細ゴミ収集効率の優れたマルチサイクロンユニットを２つ対称配置して使用することについて説明したが、必ずしもこれに限定されない。また、図示されていないが、空気吸入流路および排気流路を共有する３つまたはそれ以上のマルチサイクロンユニットを並列に配置させて使用することも可能である。
【００２８】
以上、図面に基づいて本発明の好適な実施形態を図示および説明してきたが本発明の保護範囲は、前述の実施形態に限定するものではなく、特許請求の範囲に記載された発明とその均等物にまで及ぶものである。
【図面の簡単な説明】
【００２９】
【図１】本発明に係るマルチサイクロン集塵装置の断面図である。
【図２】図１のII−II断面図である。
【符号の説明】
【００３０】
１００  第１マルチサイクロンユニット
１１０  第１サイクロンユニット
１２０  第２サイクロンユニット
１３０  ゴミ収集筒
２００  第２マルチサイクロンユニット
３００  空気吸入流路
４００  排気流路
【図１】
2006272314.tif 000003
【図２】
2006272314.tif 000004